(57)【特許請求の範囲】
【請求項１】
複数の発光素子がマトリクス状に配列された発光素子アレイを有する照明器と、
前記照明器における前記発光素子アレイの発光を、照明モードと表示モードとで制御可能な制御手段と、
所定の災害を検知するセンサとを備え、
前記制御手段は、
前記照明モードにおいて、前記発光素子アレイにおける前記複数の発光素子を全面発光させることにより、前記照明器による照明を行い、
前記表示モードにおいて、前記発光素子アレイにおける前記複数の発光素子を選択的に発光させることにより、前記照明器を表示器として用いて所望の表示を行ない、
前記制御手段は、
前記照明器の内部に設けた発光素子アレイ制御部と、
前記照明器の外部に設けた照明器制御装置とを含み、
前記発光素子アレイ制御部は、
前記照明器制御装置から送信される制御信号に応じて、前記発光素子アレイの発光を制御し、
前記照明器制御装置は、
前記センサの検知信号に応答して、前記照明器を前記表示モードで制御するための前記制御信号を、前記発光素子アレイ制御部に送信する、
照明器による表示システム。
【請求項２】
前記照明器と接続された電灯線をさらに備え、
前記照明器は、
前記電灯線から供給される電力を前記発光素子アレイに供給する電力供給部をさらに備える、
請求項１に記載の照明器による表示システム。
【請求項３】
前記照明器は、
前記電灯線から供給される電力を蓄える蓄電部をさらに備え、
前記電力供給部は、
前記電灯線から電力が供給されない場合に、前記蓄電部が蓄えた電力を前記発光素子アレイに供給する、
請求項２に記載の照明器による表示システム。
【請求項４】
前記電力供給部は、
前記蓄電部から前記発光素子アレイに供給される電力を前記電灯線から供給される電力よりも低減する、
請求項３に記載の照明器による表示システム。
【請求項５】
前記照明器制御装置は、前記電灯線を介して前記発光素子アレイ制御部と通信可能であり、
前記発光素子アレイ制御部は、
前記照明器制御装置から前記電灯線を介して送信される制御信号に応じて、前記発光素子アレイの発光を制御する、
請求項２乃至請求項４のいずれかに記載の照明器による表示システム。
【請求項６】
前記発光素子アレイ制御部は、
前記照明器制御装置から前記制御信号を受信しない場合に、前記照明器を前記照明モードで制御する、
請求項１乃至請求項５のいずれかに記載の照明器による表示システム。
【請求項７】
前記センサは、前記所定の災害が発生したことを外部に向かって報知する警報監視システムに備えられているセンサである、
請求項１乃至請求項６のいずれかに記載の照明器による表示システム。
【請求項８】
複数の前記照明器が前記電灯線を介して一の前記照明器制御装置と接続され、
前記一の照明器制御装置は、
マルチキャスト方式で前記制御信号を前記複数の照明器の前記発光素子アレイ制御部に送信する、
請求項２乃至請求項５のいずれかに記載の照明器による表示システム。
【請求項９】
前記複数の照明器はグループ化されており、
前記一の照明器制御装置は前記グループ単位で前記制御信号を生成する、
請求項８に記載の照明器による表示システム。
【請求項１０】
前記センサは複数個所に設置されており、
前記照明器制御装置は、
前記所定の災害を検知した前記センサの位置に基づいて、当該災害を回避する避難経路を示す矢印を複数の前記照明器がそれぞれ表示するための前記制御信号を、前記複数の照明器の前記発光素子アレイ制御部に送信する、
請求項１乃至請求項９のいずれかに記載の照明器による表示システム。
【請求項１１】
前記発光素子は、白色ＬＥＤ素子を含む、
請求項１乃至請求項１０のいずれかに記載の照明器による表示システム。
【発明の詳細な説明】
【技術分野】
【０００１】
本発明は、照明器による表示システムに関するものである。
【背景技術】
【０００２】
照明器では、長寿命化、低電力化を実現するために、ＬＥＤ素子などの発光素子を用いたものが提案されている。また、所望の表示を行なう表示器には、発光素子を用いたものがある。
【発明の開示】
【発明が解決しようとする課題】
【０００３】
従来の照明器と表示器は、互いに異なる機能を有する機器であり、それぞれの機能を得るためには、専用の機器がそれぞれ必要である。また、火災などの災害に対する避難経路を矢印などで示す従来の表示器では、常に固定の一方向しか示さない。このため、避難経路の途中に火災が発生しているような場合に、表示器の表示通りに避難すると、その火災発生場所に近づいてしまうことがあるという問題がある。
【０００４】
この発明は、上記のような問題点を解消するためになされたものであり、照明器を、例えば、災害発生場所に応じて適切な避難経路を示す矢印等の所望の表示をすることができる表示器、として用いることができる、照明器による表示システムを得ることを目的とする。
【課題を解決するための手段】
【０００５】
本発明に係る照明器による表示システムは、複数の発光素子がマトリクス状に配列された発光素子アレイを有する照明器と、前記照明器における前記発光素子アレイの発光を、照明モードと表示モードとで制御可能な制御手段と、所定の災害を検知するセンサとを備え、前記制御手段は、前記照明モードにおいて、前記発光素子アレイにおける前記複数の発光素子を全面発光させることにより、前記照明器による照明を行い、前記表示モードにおいて、前記発光素子アレイにおける前記複数の発光素子を選択的に発光させることにより、前記照明器を表示器として用いて所望の表示を行ない、前記制御手段は、前記照明器の内部に設けた発光素子アレイ制御部と、前記照明器の外部に設けた照明器制御装置とを含み、前記発光素子アレイ制御部は、前記照明器制御装置から送信される制御信号に応じて、前記発光素子アレイの発光を制御し、前記照明器制御装置は、前記センサの検知信号に応答して、前記照明器を前記表示モードで制御するための前記制御信号を、前記発光素子アレイ制御部に送信する。
【発明の効果】
【０００６】
本発明の照明器による表示システムによれば、照明器を、例えば、災害発生場所に応じて適切な避難経路を示す矢印等の所望の表示をすることができる表示器、として用いることができる、照明器による表示システムを得ることができる。これにより、照明器とは別に表示器を取り付ける作業、コストを削減することができる。さらに、災害から安全に避難することができる。
【発明を実施するための最良の形態】
【０００７】
＜実施の形態１＞
本実施の形態に係る照明器による表示システムの構成を図１のブロック図で示す。図に示すように、照明器１と、照明器制御装置１１と、電灯線１２と、警報監視装置１３と、センサ１４とを備える。
【０００８】
センサ１４は、所定の災害を検知するセンサであり、例えば、熱、煙によって火災を検知する熱センサあるいは煙センサを用いる。センサ１４は、所定の災害が発生したことを外部に向かって報知する警報監視システムに備えられている。図で示す警報監視装置１３は、警報監視システムを構成しており、センサ１４で火災を検知した場合には、その旨を例えば公衆回線を介して外部に報知する。照明器制御装置１１は、警報監視装置１３と接続されており、警報監視装置１３からセンサ１４の検知信号を受信する。電灯線１２は、接続された機器に電力を供給する一般的な電力線としての機能を持つ他、本実施の形態においては、接続された機器の間を通信する通信線としての機能を併せ持つ。照明器制御装置１１と、照明器１は、電灯線１２を介して接続されている。
【０００９】
図２は、照明器１の構成をブロック図で示したものである。照明器１は、発光素子アレイ２と、発光素子アレイ制御部３と、電力供給部４と、蓄電部５と、電灯線通信モジュール６と、記憶部７とを備えている。発光素子アレイ２には、白色ＬＥＤ素子等の複数の発光素子８がマトリクス状に配列されている。
【００１０】
＜モード制御＞
本実施の形態に係る照明器による表示システムは、照明器１における発光素子アレイ２の発光を、照明モードと表示モードとで制御可能な制御手段を備える。照明モードとは、発光素子アレイ２における複数の発光素子８を全面発光させることにより、照明器１による照明を行なうモードである。図３は、照明モードで制御した発光素子アレイ２を示したものである。１つの四角形は１つの発光素子８を表しており、白色の四角は、発光素子８が発光していることを表す。表示モードとは、発光素子アレイ２における複数の発光素子を選択的に発光させることにより、照明器１を表示器として用いて所望の表示を行なうモードである。図４、図５は、表示モードで制御した発光素子アレイ２を示したものである。黒色の四角は、発光素子８が発光していないことを表す。図４には文字「火災」、図５には図形「→」がそれぞれ表示されている。記憶部７には、図４、図５のように発光素子８を選択的に発光させるパターンが複数記憶されている。
【００１１】
この照明モードおよび表示モードを制御する制御手段は、照明器１の内部に設けた発光素子アレイ制御部３と、照明器１の外部に設けた照明器制御装置１１によって構成される。電灯線１２は、接続された機器の間を通信する通信線としての機能を持つ。照明器１の電灯線通信モジュール６は、電灯線１２から信号を読み出し、その信号を発光素子アレイ制御部３に送信する。これらにより、照明器制御装置１１は、電灯線１２を介して発光素子アレイ制御部３と通信が可能となっている。この発光素子アレイ制御部３は、照明器制御装置１１から電灯線１２を介して送信される制御信号に応じて、発光素子アレイ２の発光を照明モードと表示モードで制御する。
【００１２】
次に、制御信号と各モードの対応関係について説明する。照明器制御装置１１は、センサ１４の検知信号に応答して、照明器１を表示モードで制御するための制御信号を発光素子アレイ制御部３に送信する。この場合、発光素子アレイ制御部３は、送信された制御信号に応じて発光素子アレイ２の発光を表示モードで制御する。一方、発光素子アレイ制御部３は、照明器制御装置１１から制御信号を受信しない場合には、照明器１を照明モードで制御する。
【００１３】
以上からなる照明器による表示システムの動作について説明する。センサ１４で、火災が検知されない場合には、発光素子アレイ制御部３は、照明器制御装置１１から制御信号を受信しない。この場合、発光素子アレイ制御部３は、発光素子アレイ２を照明モードで制御することにより、照明器１は図３のように全面発光による照明を行なう。
【００１４】
センサ１４で火災が検知された場合、警報監視装置１３は、火災が発生したことを公衆回線を通して外部に報知する。それとともに、照明器制御装置１１は、センサ１４の検知信号に応答して、照明器１を表示モードで制御するための制御信号を、電灯線１２を介して発光素子アレイ制御部３に送信する。この場合、発光素子アレイ制御部３は、発光素子アレイ２を表示モードで制御することにより、照明器１は図４、図５のように所望の表示を行なう。
【００１５】
このように、本実施の形態に係る照明器による表示システムは、照明器１を表示器として用いることができる。これにより、照明器とは別に表示器を作成するコスト、取り付け作業を削減することができる。また、照明器１の外部に照明器制御装置１１を設け、照明器制御装置１１から制御信号を送信することにより、照明器１を外部から遠隔的に操作することができる。
【００１６】
また、火災を検知する検知信号に応じて、照明モードから表示モードへ切り替えるようにすれば、自動的に避難経路等を表示することが可能となる。なお、本実施の形態において、所望の表示を、従来と同じ避難経路を示す矢印の表示、あるいは、火災が発生したことを知らせる表示としているが、これに限ったものではなく、どのような表示を行なってもよい。また、本実施の形態では、発光させない発光素子８によって所望の表示を行なっているが、これとは逆に、発光させた発光素子８によって所望の表示を行なってもよい。しかし、その場合は、本実施の形態よりも発行させる発光素子８の数が少なくなってしまうため、本実施の形態のように、発光させない発光素子８で所望の表示を行なうことが望ましい。
【００１７】
＜電力制御＞
電灯線１２は照明器１に接続されており、電力供給部４は、電灯線１２から供給される電力を発光素子アレイ２に供給する。蓄電部５は、電灯線１２から供給される電力を蓄える。電力供給部４は、電灯線１２から電力が供給されない場合には、蓄電部５が蓄えた電力を発光素子アレイ２に供給する。電力供給部４は、蓄電部５から発光素子アレイ２に供給される電力を、電灯線１２から供給される電力よりも低減する機能を有する。電力を低減させた場合には、発光素子８の１つ当たりの発光量を減らす。あるいは、発光させる発光素子８の数を減らしてもよい。また、発光素子アレイ制御部３は、照明器１が表示器として用いられている間に電灯線１２からの供給がされなくなった場合には、電灯線１２から電力が供給されなくなった時点における表示を継続して表示する制御を行なう。
【００１８】
以上により、照明器１は、通信線として併用した電灯線１２から電力を供給されるので、配線数を省くことができる。また、電灯線１２からの電力が供給停止となった場合でも、蓄電部で蓄電した電力が発光素子アレイ２に供給されるため、照明あるいは表示を継続して行なうことができる。その際、発光素子８を発光させる電力を減少させることにより、照明あるいは表示を継続して行なうことができる時間を伸ばすことができる。
【００１９】
なお、発光素子８にＬＥＤ素子を用いれば、照明器１の消費電力を削減することができるとともに、電力が供給されなくなった場合に、照明あるいは表示を継続して行なうことができる時間を伸ばすことができる。
【００２０】
＜実施の形態２＞
図６は、本実施の形態に係る照明器による表示システムの構成を示したものであり、複数の照明器１が一の照明器制御装置１１と接続され、複数のセンサ１４が警報監視装置１３に接続されている。これらを用いるために、照明器制御装置１１と、照明器１の電灯線通信モジュール６には、下記で示す機能が加わる。その他の構成は、実施の形態１に係る照明器による表示システムと同様であり、同一の構成には同一の符号を付し、重複する説明は省略する。
【００２１】
複数の照明器１はグループ化されており、照明器制御装置１１はそのグループ単位で制御信号を生成する。制御信号の送信方式として、照明器制御装置１１は、電灯線１２を介したマルチキャスト方式で制御信号を、複数の照明器１の発光素子アレイ制御部３に送信する。このマルチキャスト方式は、制御信号にアドレスを添付する方式である。照明器１には、同一グループ内では同じアドレスが、異なるグループ間では異なるアドレスが与えられる。電灯線通信モジュール６は、自己の照明器１に与えられたアドレスに対応する制御信号を電灯線１２から読み出し、読み出した制御信号を発光素子アレイ制御部３に送信する。
【００２２】
さらに、照明器制御装置１１は、火災を検知したセンサ１４の位置に基づいて、火災を回避する避難経路を動的に導出する。そして、導出結果に基づいて、照明器制御装置１１は、所定の避難口などに向かう避難経路を示す矢印を、複数の照明器１がそれぞれ表示するための制御信号を、各照明器１の発光素子アレイ制御部３に送信する。避難経路を示す矢印は「↑」、「↓」、「→」、「←」などである。
【００２３】
以上からなる照明器による表示システムの動作を図７、図８を用いて説明する。図７、図８は、屋内に複数の照明器１を設けた図である。破線は屋内空間を８つの屋内ブロック２１ａ〜２１ｈに分けたものである。ここでは、複数の照明器１を、屋内ブロックごとにグループ化している。また、１ブロックには１つのセンサ１４を設けている。
【００２４】
図７は、屋内に火災が発生していないときの図である。センサ１４は火災を検知しないため、発光素子アレイ制御部３は、照明器制御装置１１から制御信号を受信しない。この場合、発光素子アレイ制御部３は、発光素子アレイ２を照明モードで制御する。こうして、全ての照明器１は、図３のように全面発光による照明を行なう。図７は、照明器１が所望の表示を行なわずに、照明器として用いられていることを表す。
【００２５】
図８は、屋内ブロック２１ｄにおいて火災が発生しているときの図である。ブロック２１ｄに設けられたセンサ１４が火災を検知すると、照明器制御装置１１は、火災を検知したセンサ１４の位置に基づいて、避難口１５，１６までの避難経路を動的に導出する。そして、照明器制御装置１１は、導出結果に基づいて、避難経路を示す矢印を複数の照明器１がそれぞれ表示するための制御信号を、電灯線１２を介して各照明器１の発光素子アレイ制御部３に送信する。
【００２６】
この制御信号は、マルチキャスト方式で送信される。このため、制御信号にはアドレスが添付されている。電灯線通信モジュール６は、自己の照明器１のアドレスと一致するアドレスが添付された制御信号を電灯線１２から読み出し、その制御信号を発光素子アレイ制御部３に送信する。こうして、同一グループ内の照明器１の発光素子アレイ制御部３には、同じ制御信号が送信されるため、同一グループ内の照明器１で、同じ所望の表示が行なわれる。こうして、図８のように、同一ブロック内では、照明器１は全て同じ向きの矢印を表示する。そして、導出された避難経路に基づいて、例えば、ブロック２１ａ，２１ｂ，２１ｃ，２１ｅ，２１ｆの照明器１は避難口１５へ向かうように、ブロック２１ｇ，２１ｈの照明器１は避難口１６へ向かうように矢印を表示する。
【００２７】
このように、本実施の形態に係る照明器による表示システムは、実施の形態１と同様の効果を得られることに加え、災害発生場所に応じて適切な避難経路を示す矢印を表示することができる。これにより、災害から安全に避難することができる。また、照明器１を個々に制御するのではなく、グループごとに制御することができる。これにより、制御信号の通信量を減らすことができるため、非常に多くの照明器を設置した場合でも、制御信号を送信する時間を短縮することができる。なお、図８で照明器全てを避難経路を示す矢印を表示させたが、一部に「火災」、「警告」などの文字を表示するようにしてもよい。
【図面の簡単な説明】
【００２８】
【図１】実施の形態１に係る照明器による表示システムを表すブロック図である。
【図２】実施の形態１に係る照明器を表すブロック図である。
【図３】実施の形態１に係る照明器を表す図である。
【図４】実施の形態１に係る照明器を表示器として用いた図である。
【図５】実施の形態１に係る照明器を表示器として用いた図である。
【図６】実施の形態２に係る照明器による表示システムを表すブロック図である。
【図７】実施の形態２に係る照明器による表示システムの動作を表すブロック図である。
【図８】実施の形態２に係る照明器による表示システムの動作を表すブロック図である。
【符号の説明】
【００２９】
１    照明器
２    発光素子アレイ
３    発光素子アレイ制御部
４    電力供給部
５    蓄電部
６    電灯線通信モジュール
７    記憶部
８    発光素子
１１  照明器制御装置
１２  電灯線
１３  警報監視装置
１４  センサ
１５，１６  避難口
２１ａ〜２１ｈ  屋内ブロック
【図１】
0005131417.tif 000002
【図２】
0005131417.tif 000003
【図３】
0005131417.tif 000004
【図４】
0005131417.tif 000005
【図５】
0005131417.tif 000006
【図６】
0005131417.tif 000007
【図７】
0005131417.tif 000008
【図８】
0005131417.tif 000009